(57)【特許請求の範囲】
【請求項１】
上面に分離パッドを有し本体に着脱可能に装着されるさばきガイドと、このさばきガイドを上方に押し上げるばねとを具備し、前記さばきガイドには、後側に後側被案内面とこの後側被案内面下端にストッパ用突起と、前側にこのストッパ用突起より下方まで延びる前側被案内面とを設け、前記本体のさばきガイド装着部には、後側に前記さばきガイドの後側被案内面を案内する後側案内部と前記ストッパ用突起を係止する係止部と、前側で且つ前記係止部よりも低い位置に前記さばきガイドの前側被案内面を案内する前側案内部を設け、前記ばねは、一端が前記前側被案内面で且つストッパ用突起より上方位置に取付けられ、他端が前記前側案内部上面で且つ前記係止部よりも低い位置に保持されて、前記さばきガイドを当該さばきガイドの前側上方に押し上げることを特徴とする給紙カセット。
【発明の詳細な説明】
【０００１】
【発明の属する技術分野】
本発明は、ファクシミリ、複写機、プリンター等に記録紙をセットするために使用する給紙カセットに関し、特に、装置側に設けている給紙ローラに押し付けられて記録紙の重送を防止する分離パッドを備えた給紙カセットに関する。
【０００２】
【従来の技術】
従来この種の給紙カセットは、図１４、図１５に示すように、カセット本体１と、記録紙２を支持して押し上げる底板３と、装置側に設けている給紙ローラ４に押し付けられる分離パッド５を上面に備えたさばきガイド６と、そのさばきガイド６を給紙ローラ４に押し付けるばね７等を備えている。このさばきガイド６は、下端に爪６ａを備えた一対の脚６ｂを有しており、その脚６ｂをカセット本体１に形成している貫通孔８に挿入することで、カセット本体１に取り付けられている。そして、この給紙カセットを装置に装着した状態では、さばきガイド６がばね７で給紙ローラ４に押し付けられ、記録紙２の重送を防止しており、また、給紙カセットを装置から外した状態では、脚６ｂの下端の爪６ａがカセット本体１の貫通孔８の下端周縁に引っ掛かることで、さばきガイド６が上方に飛び出さないようにしていた。
【０００３】
【発明が解決しようとする課題】
しかし、かかる構成では、さばきガイド６の取り外しの際に、爪６ａを脚６ｂの中心方向に押し込んで貫通孔８に通過させうる状態とする必要があり、狭い場所で小さい爪６ａを押し込む作業はきわめて困難であり、また、爪６ａを押し込んだ途端に、ばね７の力によりさばきガイド６が飛んでしまったりする場合があり、保守等において不便であった。
【０００４】
本発明は、上述の問題点に鑑みて為されたもので、さばきガイドをカセット本体に対して容易に着脱可能な給紙カセットを提供することを目的とする。
【０００５】
【課題を解決するための手段】
本発明は上述の問題点を解決するために、上面に分離パッドを有し本体に着脱可能に装着されるさばきガイドと、このさばきガイドを上方に押し上げるばねとを具備し、前記さばきガイドには、後側に後側被案内面とこの後側被案内面下端にストッパ用突起と、前側にこのストッパ用突起より下方まで延びる前側被案内面とを設け、前記本体のさばきガイド装着部には、後側に前記さばきガイドの後側被案内面を案内する後側案内部と前記ストッパ用突起を係止する係止部と、前側で且つ前記係止部よりも低い位置に前記さばきガイドの前側被案内面を案内する前側案内部を設け、前記ばねは、一端が前記前側被案内面で且つストッパ用突起より上方位置に取付けられ、他端が前記前側案内部上面で且つ前記係止部よりも低い位置に保持されて、前記さばきガイドを当該さばきガイドの前側上方に押し上げる構成としたものである。なお、本明細書において、用語「前」、「後」とは、さばきガイドをカセット本体にセットされた記録紙側から見た状態について表現したものである。
【０００６】
本発明は上記したように、さばきガイドの前側被案内面を案内する本体カセットの前側案内部が、さばきガイドの後側被案内面を案内しストッパ用突起を係止する本体カセットの後側案内部と係止部とよりも低い位置に配置され、ばねが、前側被案内面で且つストッパ用突起より上方位置と案内部上面で且つ係止部よりも低い位置とで保持されて、さばきガイドを当該さばきガイドの前側上方に押し上げている。これにより、カセット本体に対してさばきガイドを取り付ける場合には、さばきガイドにばねの一端を取付けた状態で、さばきガイドをさばきガイド装着部に斜め下方に挿入して、ストッパ用突起を後側案内部に沿って滑らせながら押し込む。そして、ばねの他端をカセット本体の前側案内部上面に係止させ、且つストッパ用突起が係止部を通りすぎた時点で、さばきガイドを離す。すると、さばきガイドは、ばねの押し上げ力によって押し上げられ、ストッパ用突起が係止部に引っ掛かり、ここを支点として後方に旋回して後側被案内面が後側案内部に押し付けられ、且つ前側被案内面が前側案内部に押し付けられた状態で保持される。また、さばきガイドを取り外す場合は、さばきガイドを斜め下方に押し込んで手前側に倒し、次いで引き出すことにより、さばきガイドのストッパ用突起をカセット本体の係止部から外して引き出すことができる。このように、きわめて簡単にさばきガイドを取り付けることができ、また、その逆の動作できわめて簡単にさばきガイドを取り外すことができる。
【０００７】
【発明の実施の形態】
本発明の給紙カセットは、カセット本体と、そのカセット本体に着脱可能に取り付けられ、上面に分離パッドを備えたさばきガイドと、そのさばきガイドを上方に押し上げるように配置されるばねとを備えた給紙カセットにおいて、さばきガイドの後ろ側に後側被案内面とその下端のストッパ用突起を、前側に前側被案内面を形成し、一方、カセット本体には、さばきガイドを挿入させる空間の後ろ側に、さばきガイドの後側被案内面を案内する後側案内部とストッパ用突起を係止する係止部を設け、前記空間の前側には、前記係止部よりも低い位置にさばきガイドの前側被案内面を案内する前側案内部を設けておき、更に前記ばねを、さばきガイドを、そのさばきガイドの中心よりも前側で上方に押し上げるように配置するという構成としたものである。
【０００８】
本発明の給紙カセットは上述構成であるので、カセット本体に装着されたさばきガイドは、その前後面を前側案内部、後側案内部でガイドされ、一定の姿勢でばねによって押し上げられており、ファクシミリ等の装置にセットした時には給紙ローラに押し付けられ、装置から外した状態ではさばきガイドのストッパ用突起が係止部に引っ掛かることで外れることなく定位置に保持されている。このさばきガイドを取り外す際には、ばねを押し込みながらさばきガイドを押し込み且つ手前側に倒し、次いで引き出せば、さばきガイドのストッパ用突起をカセット本体の係止部から外して引き出すことができ、きわめて簡単にさばきガイドを取り外すことができ、また、その逆の動作で取り付けを行うことができる。
【０００９】
【実施例】
以下、図面に示す本発明の好適な実施例を説明する。図１は本発明の一実施例による給紙カセットを装置内に取り付けた状態で、その主要部分を示す概略断面図、図２はその給紙カセットの概略斜視図、図３はその給紙カセットを、主要な部品を分解した状態で示す概略斜視図であり、図１４、図１５に示す従来例と同一部品には同一符号を付して示している。全体を参照符号１１で示す給紙カセットは、カセット本体１１と、支持した記録紙２を給紙ローラ４に押し付けるように持ち上げる底板３と、上面に分離パッド１３を備え、給紙ローラ４に押し付けられるように設けられたさばきガイド１４と、そのさばきガイド１４を上方に押し上げるばね１５と、さばきガイド１４をカセット本体１２から外れないように拘束する止め具１６などを有している。
【００１０】
さばきガイド１４はカセット本体１２に着脱可能に取り付けられるものであり、図４〜図７に示すように、パッド取付部材１４Ａとそれに連結された脚部１４Ｂを備えており、パッド取付部材１４Ａの上面にゴム板からなる分離パッド１３と、記録紙のガイド面を形成する金属板１８が取り付けられている。更に、さばきガイド１４の後面には、上下に延びる２本の溝１４ａが形成され、その溝１４ａの底面で後側被案内面を形成すると共に、その下端に横方向に突出するストッパ用突起１４ｂが形成されている。また、さばきガイド１４の前面には、少なくともストッパ用突起１４ｂよりも低い位置まで延びる平坦な前側被案内面１４ｃが形成されている。更に、さばきガイド１４の前側被案内面１４ｃよりも前側に凸部１４ｄが形成されており、その凸部１４ｄにばね１５の一端を取り付けるようになっている。
【００１１】
一方、カセット本体１２のさばきガイド装着部分には、図７〜図９に示すように、さばきガイド１４を挿入させる空間２０が形成されており、その空間２０の後ろ側には、さばきガイド１４の溝１４ａに対応する位置に２つのリブ２１が形成されている。このリブ２１は先端に斜め下方に延びる後側案内部２１ａを有し且つその下端に係止部２１ｂを形成している。この後側案内部２１ａはさばきガイド１４の後面の溝１４ａの底面の後側被案内面を案内するためのものであり、また、係止部２１ｂはさばきガイド１４の後面のストッパ用突起１４ｂに係止して抜けないように拘束するためのものである。一方、空間２０の前側には、後ろ側の係止部２１ｂよりも低い位置に、さばきガイド１４の前側被案内面１４ｃを案内する前側案内部２３が形成されており、その前側案内部２３の上方は開放された状態となっている。
【００１２】
前側案内部２３の横には、ばね１５を取り付けるための凸部２５と、止め具１６を固定するための溝２６が形成されている。また、その下方には止め具１６の下端に設けている爪を通すための孔２７（図７参照）及びその爪を引っかけるための突起２８が形成されている。
【００１３】
止め具１６は、図１０（ａ）、（ｂ）に示すように、全体がほぼ矩形状をなしており、その上端に二つの係止部１６ａを、その下方に爪１６ｂを、下端の中央に爪１６ｃを有している。これらの爪１６ｂ、１６ｃは止め具１６をカセット本体１２に取り付ける際に、カセット本体１２に設けている溝２６及びストッパ用突起２８（図７参照）にそれぞれ係合させるためのものであり、係止部１６ａは、図１に示すように、止め具１６を所定位置に取り付けた際、さばきガイド１４の前側被案内面１４ｃに接触し、さばきガイド１４が手前側に倒れないように拘束するためのものである。
【００１４】
なお、図１、図７、図１２等において、３０は上下動するように設けられたスライドプレートであり、下方に移動した時にさばきガイド１４の脚部１４Ｂに係合してこれを下方に押し下げる爪部３０ａを有している。このスライドプレート３０は、給紙カセット１１をファクシミリなどの装置内の所定位置に装着する際に、下方に移動してさばきガイド１４や記録紙２を押し下げ、定位置に設けられている給紙ローラ４に干渉しないようにするためのものである。
【００１５】
以上の構成になる給紙カセット１１について、以下その動作を説明する。カセット本体１２に対してさばきガイド１４及びばね１５を取り付ける際には、図７において、さばきガイド１４の凸部１４ｄにばね１５を差し込んで保持させ、その状態でさばきガイド１４を斜め下方に移動させて空間２０内に挿入してゆく。図１１はさばきガイド１４の挿入途中の状態を示すものであり、さばきガイド１４のストッパ用突起１４ｂを後側案内部２１ａに沿って滑らせながら押し込む。この時のさばきガイド１４の姿勢は、正常にセットした場合よりも若干前に倒れた状態となるが、前側案内部２３の上方が大きく開放されているので、このような姿勢を取ることができる。そして、ばね１５の下端をカセット本体１２側の凸部２５に係合させ、且つさばきガイド１４のストッパ用突起１４ｂが係止部２１ｂを通りすぎた時点で、さばきガイド１４を離す。すると、さばきガイド１４はばね１５の押し上げ力によって押し上げられ、図１２に示すように、ストッパ用突起１４ｂが係止部２１ｂに引っ掛かり、次いで、そこを支点として矢印Ａで示す方向に旋回し、結局、さばきガイド１４の後面の溝１４ａの底面（後側被案内面）が後側案内部２１ａに押し付けられ、且つ前側被案内面１４ｃが前側案内部２３に押し付けられた状態で安定する。かくして、さばきガイド１４はその前後面を前側案内部２３及び後側案内部２１ａでガイドされた状態で上方に抜けないように保持されると共に、必要に応じ押し下げることが可能となる。
【００１６】
その後、図１、図１３に示すように、止め具１６を、その下端の爪１６ｃを孔２７（図７参照）に通してストッパ用突起２８に係合させ、次いで上部の爪１６ｂを溝２６に係合させて取り付ける。これにより、止め具１６の係止部１６ａがさばきガイド１４の前面に押し当てられることとなり、さばきガイド１４が前側に不用意に倒れて外れることを防止できる。以上で、さばきガイド１４及び止め具１６の取り付け作業が終了する。
【００１７】
この給紙カセット１１をファクシミリなどの装置にセットする時には、給紙カセット１１を挿入する途中でさばきガイド１４の脚部１４Ｂをスライドプレート３０が押し下げ、装置内の所定位置に達した時点でそのスライドプレート３０が上昇して脚部１４Ｂを解放する。これにより、さばきガイド１４はばね１５によって押し上げられ、図１に示すように、上面の分離パッド１３が装置側に設けられている給紙ローラ４に押し付けられる状態となる。この状態で使用され、記録紙が給紙ローラ４と分離パッド１３によって１枚ずつ分離されて給紙される。
【００１８】
次に、さばきガイド１４をカセット本体１２から取り外すには、まず、止め具１６の上端を手前に引くようにして取り外し、次いで、図１２において、さばきガイド１４を少し押し込みながら手前に、即ち矢印Ａと反対方向に倒す。これにより、さばきガイド１４のストッパ用突起１４ｂがカセット本体１２の係止部２１ｂから外れるので、その後は斜め上方に引き抜けばよい。
【００１９】
以上のように、このさばきガイド１４は、単に空間２０に対して斜め下方に押し込むのみで所定位置に取り付けることができ、また、取り外しに当たっては手前側に少し倒して引き抜くことで取り外しを行うことができ、取り付け、取り外しを極めて容易に行うことができる。
【００２０】
なお、上記実施例では、さばきガイド１４を押し上げるためのばねとして、さばきガイド１４の両端近傍に配置された２本のばね１５を用いているが、使用するばねの個数は適宜増減可能である。しかし、図示実施例のように、さばきガイド１４の両端近傍に２本のばね１５を配置する構成とすると、そのさばきガイド１４の両端近傍を２本のばね１５によって押し上げることとなるため、さばきガイド１４の押し上げが安定し、給紙の際にはバランス良く給紙ローラの力を記録紙に伝えることができ、また、このさばきガイド１４を取り付け、取り外しの際に押し込む際にもさばきガイド１４を安定して移動させることができる等の利点が得られるので、好ましい。また、上記実施例では、さばきガイド１４の後面に溝１４ａを形成し、その溝１４ａの底面を後側案内部２１ａで支持させているが、溝１４ａを省略し、さばきガイド１４の溝の無い後面を後側被案内面とし、後側案内部２１ａで支持する構成としてもよい。しかし、図示実施例のように溝１４ａを形成しておくと、その溝１４ａにリブ２１が入ることで、さばきガイド１４の横方向の位置を規制することができる利点が得られるので好ましい。
【００２１】
更に、上記実施例では、さばきガイド１４の手前に止め具１６を取り付け、さばきガイド１４の前側被案内面１４ｃを押さえるようにしているが、さばきガイド１４は手前側に配置されたばね１５による押し上げ力によって後側案内部２１ａに押し付けられるようになっているので、止め具１６が無くても外れることはなく、このため止め具１６を省略してもよい。しかし、止め具１６を設けておくと、給紙カセット１１を装置から取り外した状態においてさばきガイド１４に何らかの物がぶつかってさばきガイド１４を手前側に倒そうとする大きい力が作用した時に、止め具１６がさばきガイド１４を支え、さばきガイド１４が外れるのを防止できる利点が得られる。
【００２２】
【発明の効果】
以上の説明から明らかなように、本発明は、上面に分離パッドを有し本体に着脱可能に装着されるさばきガイドと、このさばきガイドを上方に押し上げるばねとを具備し、前記さばきガイドには、後側に後側被案内面とこの後側被案内面下端にストッパ用突起と、前側にこのストッパ用突起より下方まで延びる前側被案内面とを設け、前記本体のさばきガイド装着部には、後側に前記さばきガイドの後側被案内面を案内する後側案内部と前記ストッパ用突起を係止する係止部と、前側で且つ前記係止部よりも低い位置に前記さばきガイドの前側被案内面を案内する前側案内部を設け、前記ばねは、一端が前記前側被案内面で且つストッパ用突起より上方位置に取付けられ、他端が前記前側案内部上面で且つ前記係止部よりも低い位置に保持されて、前記さばきガイドを当該さばきガイドの前側上方に押し上げる構成とする。これにより、カセット本体に対してさばきガイドを取り付ける場合には、さばきガイドにばねの一端を取付けた状態で、さばきガイドをさばきガイド装着部に斜め下方に挿入して、ストッパ用突起を後側案内部に沿って滑らせながら押し込む。そして、ばねの他端をカセット本体の前側案内部上面に係止させ、且つストッパ用突起が係止部を通りすぎた時点で、さばきガイドを離す。すると、さばきガイドは、ばねの押し上げ力によって押し上げられ、ストッパ用突起が係止部に引っ掛かり、ここを支点として後方に旋回して後側被案内面が後側案内部に押し付けられ、且つ前側被案内面が前側案内部に押し付けられた状態で保持される。また、さばきガイドを取り外す場合は、さばきガイドを斜め下方に押し込んで手前側に倒し、次いで引き出すことにより、さばきガイドのストッパ用突起をカセット本体の係止部から外して引き出すことができる。このように、きわめて簡単にさばきガイドを取り付けることができ、また、その逆の動作できわめて簡単にさばきガイドを取り外すことができる、という効果を有している。
【図面の簡単な説明】
【図１】本発明の一実施例による給紙カセットを装置に装着した状態で、その主要部分を示す概略断面図
【図２】本発明の一実施例による給紙カセットの概略斜視図
【図３】図２に示す給紙カセットを、主要な部品を分解して示す概略斜視図
【図４】図１に示す給紙カセットに用いているさばきガイドの概略斜視図
【図５】図４に示すさばきガイドを後面側から見た概略斜視図
【図６】図４に示すさばきガイドを、ばねを取り付けた状態で示す概略後面図
【図７】図１に示す給紙カセットに用いているカセット本体のさばきガイド装着部分とさばきガイドを、さばきガイド装着前の状態で示す概略断面図
【図８】図７に示すカセット本体のさばきガイド装着部分の概略平面図
【図９】図７に示すカセット本体のさばきガイド装着部分の概略前面図
【図１０】（ａ）は図１に示す給紙カセットに用いている止め具の概略断面図（ｂ）はその止め具の概略正面図
【図１１】カセット本体のさばきガイド装着部分をさばきガイド装着途中の状態で示す概略断面図
【図１２】カセット本体のさばきガイド装着部分をさばきガイド装着後の状態で示す概略断面図
【図１３】カセット本体のさばきガイド装着部分を、さばきガイド、止め具を装着した状態で示す概略前面図
【図１４】従来の給紙カセットのさばきガイド装着部分の概略断面図
【図１５】図１４に示すさばきガイド装着部分をＸ−Ｘ方向に見た概略断面図
【符号の説明】
２  記録紙
３  底板
４  給紙ローラ
１１  給紙カセット
１２  カセット本体
１３  分離パッド
１４  さばきガイド
１４ａ  溝（後側被案内面）
１４ｂ  ストッパ用突起
１４ｃ  前側被案内面
１５  ばね
１６  止め具
２０  空間
２１  リブ
２１ａ  後側案内部
２１ｂ  係止部
２３  前側案内部
【図１】
0003717994.tif 000002
【図２】
0003717994.tif 000003
【図３】
0003717994.tif 000004
【図４】
0003717994.tif 000005
【図５】
0003717994.tif 000006
【図６】
0003717994.tif 000007
【図７】
0003717994.tif 000008
【図８】
0003717994.tif 000009
【図９】
0003717994.tif 000010
【図１０】
0003717994.tif 000011
【図１１】
0003717994.tif 000012
【図１２】
0003717994.tif 000013
【図１３】
0003717994.tif 000014
【図１４】
0003717994.tif 000015
【図１５】
0003717994.tif 000016